(57)【要約】本発明は、ハイブリッド自動再送要求（ＨＡＲＱ）応答のタイミングを決定する、ユーザ装置４における方法に関するものである。ユーザ装置４は、第１の無線アクセス技術システム２及び第２の無線アクセス技術システム３を含む通信ネットワーク１で動作する。ユーザ装置は、第１の無線アクセス技術システム２の少なくとも１つの下りリンク・キャリアと、第２の無線アクセス技術システム３の少なくとも１つの下りリンク・キャリアとで受信する。本方法は、第２の無線アクセス技術システム３に関連する下りリンク・タイミングを決定するステップと、当該下りリンク・タイミングに基づいて、第２の無線アクセス技術システム３のＨＡＲＱ応答のための仮想上りリンク・タイミングを決定するステップと、第１の無線アクセス技術システム２に関連する上りリンク・タイミングを決定するステップと、第１の無線アクセス技術システム２の上りリンク・キャリアでのＨＡＲＱ応答の送信用の上りリンク時間インスタンスを、仮想上りリンク・タイミングと第１の無線アクセス技術システム２のための上りリンク・タイミングとに基づいて決定するステップとを含み、ＨＡＲＱ応答は、第２の無線アクセス技術システム３の下りリンク・キャリアで受信されたデータに関連する。また、本発明は、ユーザ装置、無線基地局及びその方法に関するものである。
2014512743.tif 000002
【特許請求の範囲】
【請求項１】
ハイブリッド自動再送要求（ＨＡＲＱ）応答のタイミングを決定する、ユーザ装置（4）における方法であって、
前記ユーザ装置（4）は、第１の無線アクセス技術システム（2）及び第２の無線アクセス技術システム（3）を含む通信ネットワーク（1）で動作し、前記第１の無線アクセス技術システム（2）の少なくとも１つの下りリンク・キャリアと前記第２の無線アクセス技術システム（3）の少なくとも１つの下りリンク・キャリアとでデータを受信し、
前記方法は、
前記第２の無線アクセス技術システム（3）に関連する下りリンク・タイミングを決定するステップ（100）と、
前記下りリンク・タイミングに基づいて、前記第２の無線アクセス技術システム（3）のＨＡＲＱ応答のための仮想上りリンク・タイミングを決定するステップ（110）と、
前記第１の無線アクセス技術システム（2）に関連する上りリンク・タイミングを決定するステップ（120）と、
前記第１の無線アクセス技術システム（2）の上りリンク・キャリアでの前記ＨＡＲＱ応答の送信用の上りリンク時間インスタンスを、前記仮想上りリンク・タイミングと前記第１の無線アクセス技術システム（2）のための前記上りリンク・タイミングとに基づいて決定するステップ（130）であって、前記ＨＡＲＱ応答は、前記第２の無線アクセス技術システム（3）の前記下りリンク・キャリアで受信されたデータに関連する、前記ステップと
を含むことを特徴とする方法。
【請求項２】
前記ＨＡＲＱ応答の送信用の上りリンク時間インスタンスを決定する前記ステップは、
前記仮想上りリンク・タイミングを、前記第１の無線アクセス技術システム（2）のための前記上りリンク・タイミングにマッピングするステップを含むことを特徴とする請求項１に記載の方法。
【請求項３】
前記ＨＡＲＱ応答の送信用の上りリンク時間インスタンスを決定する前記ステップは、
前記仮想上りリンク・タイミングを、前記仮想上りリンク・タイミングの後の、前記第１の無線アクセス技術システム（2）についての次の前記上りリンク時間インスタンスにマッピングするステップを含むことを特徴とする請求項２に記載の方法。
【請求項４】
連続する２つのデータパケットに関連するＨＡＲＱ応答は、前記第１の無線アクセス技術システムの前記上りリンク・キャリアでの送信用の、１つの時間インスタンスにまとめられることを特徴とする請求項１から３のいずれか１項に記載の方法。
【請求項５】
前記ＨＡＲＱ応答は、両方のデータパケットが正しく復号された場合にのみ送信されることを特徴とする請求項４に記載の方法。
【請求項６】
前記ＨＡＲＱ応答は、直交位相シフトキーイング（ＱＰＳＫ）コンスタレーションを用いて送信され、一方の次元に対応する２つのポイントは、前記２つのデータパケットのうちの一方についての前記ＨＡＲＱ応答であり、他方の次元は、他方のデータパケットについての前記ＨＡＲＱ応答である
ことを特徴とする請求項４に記載の方法。
【請求項７】
前記仮想上りリンク・タイミングと前記第１の無線アクセス技術システムの前記上りリンク・タイミングとの関係に、閾値よりも大きなドリフトが生じている場合に、前記ＨＡＲＱ応答の送信用の前記上りリンク時間インスタンスを、それより以前のまたは遅らせた時間インスタンスに切り替えるステップ
を更に含むことを特徴とする請求項１から６のいずれか１項に記載の方法。
【請求項８】
閾値より少ないタイミング・ドリフトに対して、ＨＡＲＱ応答のためのタイミングの系列を適用するステップを更に含むことを特徴とする請求項１から７のいずれか１項に記載の方法。
【請求項９】
第１の無線アクセス技術システム（2）及び第２の無線アクセス技術システム（3）を含む通信ネットワーク（1）で動作するユーザ装置（4）であって、
前記ユーザ装置（4）は、前記第１の無線アクセス技術システム（2）の少なくとも１つの下りリンク・キャリアと前記第２の無線アクセス技術システム（3）の少なくとも１つの下りリンク・キャリアとでデータを受信し、
前記ユーザ装置（4）は、
前記第２の無線アクセス技術システム（3）に関連する下りリンク・タイミングを決定し、
前記下りリンク・タイミングに基づいて、前記第２の無線アクセス技術システム（3）のハイブリッド自動再送要求（ＨＡＲＱ）応答のための仮想上りリンク・タイミングを決定し、
前記第１の無線アクセス技術システム（2）に関連する上りリンク・タイミングを決定し、
前記第１の無線アクセス技術システム（2）の前記上りリンク・キャリアでの前記ＨＡＲＱ応答の送信用の上りリンク時間インスタンスを、前記仮想上りリンク・タイミングと前記第１の無線アクセス技術システム（2）のための前記上りリンク・タイミングとに基づいて決定し、前記ＨＡＲＱ応答は、前記第２の無線アクセス技術システム（3）の前記下りリンク・キャリアで受信されたデータに関連する
ことを特徴とするユーザ装置。
【請求項１０】
前記ユーザ装置（4）は、前記仮想上りリンク・タイミングを、前記第１の無線アクセス技術システム（2）のための前記上りリンク・タイミングにマッピングすることによって、前記ＨＡＲＱ応答の送信用の上りリンク時間インスタンスを決定する
ことを特徴とする請求項９に記載のユーザ装置。
【請求項１１】
前記ユーザ装置（4）は、前記仮想上りリンク・タイミングを、前記仮想上りリンク・タイミングの後の、前記第１の無線アクセス技術システム（2）についての次の前記上りリンク時間インスタンスにマッピングすることによって、前記ＨＡＲＱ応答の送信用の上りリンク時間インスタンスを決定する
ことを特徴とする請求項１０に記載のユーザ装置。
【請求項１２】
前記ユーザ装置（4）は、連続する２つのデータパケットに関連するＨＡＲＱ応答を、前記第１の無線アクセス技術システムの前記上りリンク・キャリアでの送信用の、１つの時間インスタンスにまとめる
ことを特徴とする請求項９から１１のいずれか１項に記載のユーザ装置。
【請求項１３】
前記ユーザ装置（4）は、両方のデータパケットが正しく復号された場合にのみ前記ＨＡＲＱ応答を送信することを特徴とする請求項１２に記載のユーザ装置。
【請求項１４】
前記ユーザ装置（4）は、前記ＨＡＲＱ応答を、直交位相シフトキーイング（ＱＰＳＫ）コンスタレーションを用いて送信し、一方の次元に対応する２つのポイントは、前記２つのデータパケットのうちの一方についての前記ＨＡＲＱ応答であり、他方の次元は、他方のデータパケットについての前記ＨＡＲＱ応答である
ことを特徴とする請求項１２に記載のユーザ装置。
【請求項１５】
前記ユーザ装置（4）は、前記仮想上りリンク・タイミングと前記第１の無線アクセス技術システムの前記上りリンク・タイミングとの関係に、閾値よりも大きなドリフトが生じている場合に、前記ＨＡＲＱ応答の送信用の前記上りリンク時間インスタンスを、それより以前のまたは遅らせた時間インスタンスに切り替える
ことを特徴とする請求項９から１４のいずれか１項に記載のユーザ装置。
【請求項１６】
前記ユーザ装置（4）は、閾値より少ないタイミング・ドリフトに対して、ＨＡＲＱ応答のためのタイミングの系列を適用することを特徴とする請求項９から１５のいずれか１項に記載のユーザ装置。
【請求項１７】
第１の無線アクセス技術システム（2）及び第２の無線アクセス技術システム（3）を含む通信ネットワーク（1）の、前記第１の無線アクセス技術システム（2）を使用してユーザ装置（4）と通信するよう構成された無線基地局ノード（600）における方法であって、
前記第２の無線アクセス技術システム（3）に関連付けられたフィードバック情報を検出するステップと、
前記第２の無線アクセス技術システム（3）の構成要素に対して前記フィードバック情報を伝達するステップと
を含むことを特徴とする方法。
【請求項１８】
第１の無線アクセス技術システム（2）及び第２の無線アクセス技術システム（3）を含む通信ネットワーク（1）の、前記第１の無線アクセス技術システム（2）を使用してユーザ装置（4）と通信するよう構成された無線基地局ノード（600）であって、
前記第２の無線アクセス技術システム（3）に関連付けられたフィードバック情報を検出し、
前記第２の無線アクセス技術システム（3）の構成要素に対して前記フィードバック情報を伝達する
ことを特徴とする無線基地局ノード。
【発明の詳細な説明】
【技術分野】
【０００１】
本明細書に開示の技術は、全体として無線通信システムの分野に関するものであり、具体的には、複数の無線アクセス技術を用いる無線通信システムにおけるフィードバック情報のタイミングに関するものである。
【背景技術】
【０００２】
今日では、数例を挙げると、ＧＳＭ（登録商標）／ＧＰＲＳ（Global System for Mobile Communications／General Packet Radio Service)、ＷＣＤＭＡ（登録商標）／ＨＳＰＡ（Wideband Code Division Multiple Access／High Speed Packet Access）、ＣＤＭＡベースの技術、ＷｉＦｉ（wireless fidelity）、ＷｉＭＡＸ（Worldwide Interoperability for Microwave Access）、及び最近のＬＴＥ（Long Term Evolution）といった、多数の無線・セルラアクセス技術及び標準規格が存在する。これらの技術及び規格は、ここ数十年の間に開発されており、開発が続くことが期待できる。３ＧＰＰ、３ＧＰＰ２、及びＩＥＥＥのような組織で仕様が開発されている。
【０００３】
オペレータが特定の用途のために特定の帯域（即ち、特定の方法で帯域を使用する権利）を「所有」しうるように、様々な周波数帯域が、政府機関によって、典型的には割り当てられ、販売され、またはその両方が行われる。法令によって、所有者（即ち、オペレータ）が特定の周波数帯域に特定の技術を展開すべきことが規定されている場合がある。場合によっては、オペレータは、例えばＩＴＵ（International Telecommunications Union、国際電気通信連合）によって定められた特定の基準を選択肢が満たすという条件で、どの技術及び標準規格をそのスペクトルに展開するのかを選択できることもある。
【０００４】
スペクトルが、希少なリソースであるという事実に起因して、オペレータは、ＬＴＥのような新たなセルラアクセスを、例えば２０ＭＨｚの制限されたスペクトルに展開する権利を有している場合がある。
【０００５】
しかし、オペレータが、既存の端末を持つ既存の顧客ベースを有している場合があるという事実によって、オペレータが所有するスペクトル全体で１つの技術のみを展開することを妨げられることになる。これは、例えば、オペレータが、ＵＴＲＡＮネットワークを使用するＷＣＤＭＡ／ＨＳＰＡサブスクリプションを持つ、多数の顧客ベースを有する場合が該当しうるとともに、オペレータは、最新の進化型、Ｅ−ＵＴＲＡＮとも称される、ＵＴＲＡＮのロング・ターム・エボリューション（ＬＴＥ）を展開したいと考えている。
【０００６】
このため、本例では、オペレータは、利用可能な帯域をＨＳＰＡとＬＴＥとの間で分割しなければならない可能性がある。したがって、ＬＴＥの初期展開では、オペレータは、例えば（２つのＷＣＤＭＡキャリアに対応する）１０ＭＨｚをＨＳＰＡで使用し続け、１０ＭＨｚを初期ＬＴＥ展開用に確保しうる。
【０００７】
しかし、このような、複数の技術への希少なスペクトルの分割は、性能上、以下のようないくつかの望ましくない効果を有する。
‐提供可能なピークレートと、使用されるスペクトル幅との間には直接的な相関が存在する。このため、ＨＳＰＡとＬＴＥの両方の帯域幅を、上記の例における１０ＭＨｚに限定すると、顧客に提供されるピークレートはおおよそ半分に限定されることになる。したがって、ここで説明のために上記技術によって２０ＭＨｚで約１００Ｍｂｐｓを提供可能であると仮定すると、それぞれの技術においてピークレートが約５０ＭＨｚに限定されることになってしまうことを意味する。
‐当初は、本例におけるＬＴＥキャリアを数ユーザしか有しない一方で、ＨＳＰＡキャリアには非常に負担がかかることが起こりうる。このため、割り当てと使用との間で不均衡となり、ＨＳＰＡキャリアにおいて望ましくない輻輳が生じる結果となる。しかし、ＬＴＥキャリアにおいて優れたビットレートを提供するには、ＬＴＥの進化型はＨＳＰＡとの関係で競争力のある性能を提供することができないため、依然として、例えば５ＭＨｚのみしかＬＴＥ顧客に割り当てることができない。
【０００８】
少なくとも２つの無線アクセス技術を含むヘテロジニアス（heterogeneous）展開において高いピークレート及びロード・バランシングが提供可能となるよう、複数の無線アクセス技術の同時使用（ＬＴＥ＋ＨＳＰＡキャリア・アグリゲーション（carrier aggregation））のための解決策を見つけるための議論が存在している。２つの独立したキャリアの結合またはアグリゲーション（寄せ集め）が行われる、キャリア・アグリゲーションは、増加するリソース活用及びスペクトルを効率的に達成する１つの方法である。例えば、ＬＴＥ＋ＨＳＰＡキャリア・アグリゲーションでは、各キャリアは、ＬＴＥキャリアまたはＨＳＰＡキャリアである。ＬＴＥキャリア・アグリゲーションとＨＳキャリア・アグリゲーションの両方（即ち、同一ＲＡＴ内のキャリア・アグリゲーション）は、３ＧＰＰ仕様で規定されている。デュアルキャリアＨＳＰＡは、３ＧＰＰ仕様のリリース８標準規格で最初に導入され、ＬＴＥキャリア・アグリゲーションは、リリース１０標準規格で導入された。
【発明の概要】
【０００９】
例えば、ＬＴＥ＋ＨＳＰＡキャリア・アグリゲーションに関して、１つの可能性は、移動端末またはユーザ装置（ＵＥ）が、第１の（primary/first）無線アクセス技術（ＲＡＴ）（例えばＨＳＰＡ）の第１のサービング・セルに第１のキャリアで接続し、第２のＲＡＴ（例えばＬＴＥ）の第２（secondary/second）のサービング・セルに第２のキャリアで接続し、即ち、第１及び第２のセルがＲＡＴ間（ＬＴＥまたはＨＳＰＡ）キャリア・アグリゲーションで定義されるのと同じように接続する。性能を強化するためにこのような「第２の」キャリアが追加されるという意味で、他のシステム（またはＲＡＴ）の１つのキャリアまたは複数のキャリアを「ブースタ（booster）」性能であるとみなす一方で、複数のＲＡＴ及び複数のシステムの１つがＵＥを制御しているものとみなすこともできる。例えば、ＵＴＲＡＮは、ｅＵＴＲＡＮが第２のシステム／ＲＡＴであってもよい一方で、第１のシステム／ＲＡＴであってもよい。可能性のある構成の状況では、例えば、ＵＥは最初にＵＴＲＡＮに接続され、その後に、ＵＥはＬＴＥのキャリアを追加するように構成されることが起こりうる。その場合、いくつかのＬＴＥキャリアまたはセルが性能を「ブースト（boost）」するために追加されたとしても、ＬＴＥは、第２のＲＡＴである（即ち、接続制御がＵＴＲＡＮのまま維持される）。当然ながら、ＬＴＥが第１のシステム／ＲＡＴとして動作し、ＵＴＲＡＮ／ＨＳＰＡが第２のシステム／ＲＡＴであるような構成を想定することも可能である。
【００１０】
いくつかのシナリオでは、キャリア・アグリゲーションが下りリンク（ＤＬ）でのみ行われ、それ故に、（典型的には第１のＲＡＴに対応する）単一のＲＡＴがＵＬで使用されることを想定することもできる。下りリンクのキャリア・アグリゲーションは、ＵＥが異なる複数の技術を用いて複数のキャリアを送信するための要求条件が存在しないため、実装がより容易かもしれない。トラヒック負荷が、（上りリンクのデータトラヒックの支配度とは対照的に）下りリンク・データトラヒックに偏っている場合には、下りリンクのキャリア・アグリゲーションはより急務であることも予想されうる。
【００１１】
しかし、上りリンク・キャリアで送信される必要がある、下りリンク・データ情報に関連する制御情報またはフィードバック情報がある程度は存在するため、ＤＬキャリア・アグリゲーションを導入することによって新たな問題のセットも導入されるであろう。そして、複数のアクセス技術のうちの１つを用いて設定される上りリンク・キャリアが存在しない場合、その無線アクセス技術（ＲＡＴ）に関連付けられた制御情報をどのように送信するかについての方法が、現在は存在しない。
【００１２】
この場合、第２のＲＡＴ用の肯定応答／否定応答（ＡＣＫ／ＮＡＫ）シグナリング及びチャネル品質インジケータ（ＣＱＩ）報告のようなフィードバック情報は、第１のＲＡＴのＵＬ（ここでは、第２のＲＡＴがＵＬで設定されていないことを想定する。）を用いて報告される必要がありうる。
【００１３】
ＨＡＲＱ ＡＣＫ／ＮＡＫは、ハイブリッドＡＲＱの肯定応答（ＡＣＫ）及び否定応答（ＮＡＫ）を表す。ＡＣＫ／ＮＡＣＫを用いるＨＡＲＱは、関連するデータユニット（トランスポート・ブロック）の受信成功または不成功に関連するバイナリ・フィードバックを用いて、ＨＳＰＡ及びＬＴＥの両方で実現される。これは技術的に既知であるため、ＨＡＲＱ及びＡＣＫ／ＮＡＫについては、ここではあまり詳細には説明しないこととする。
【００１４】
ＣＱＩは、チャネル品質インジケータを表し、下りリンク送信機（無線基地局、ＲＢＳ）が、例えばどのような符号化、変調、電力または周波数を次回の送信に使用すべきかを決定できるように、下りリンクチャネルの推定された品質を表現する、品質パラメータである。ＵＥは、下りリンクのチャネル品質をモニタリングし、ＣＱＩパラメータをネットワークに報告する。ＣＱＩが設定されうる方法、及びどのような情報を報告が含みうるのかに差異はあるものの、ＨＳＰＡとＬＴＥの両方がＣＱＩを実装している。
【００１５】
異なるＲＡＴは、異なるサブフレーム・タイミングとＨＡＲＱ応答タイミング要求条件とを有しているため、ＡＣＫ／ＮＡＫ報告を、ＵＬに直ちに適用することはできず、またはＵＬで直ちに送信することはできない。
【００１６】
したがって、異なるＲＡＴにおいて異なる送信時間間隔（ＴＴＩ）（サブフレーム）長だけでなく異なるタイミング要求条件に起因して、第２のＲＡＴで受信されるＤＬデータに関連する、第１のＲＡＴのＵＬで送信されるＨＡＲＱ応答のタイミングの決定を行うための方法及び装置の必要性が存在する。
【００１７】
このため、ＵＥでは、第２のＲＡＴでの下りリンク（ＤＬ）受信に関連するフィードバック情報を、第１のＲＡＴの上りリンクで伝達する必要がある。本開示は、これに対する解決策を提供し、とりわけ、ＡＣＫ／ＮＡＫフィードバックのタイミングのための解決策を提供する。
【００１８】
本発明は、上述の問題のうちの１つ以上を克服するか、または少なくとも緩和することを目的としている。
【００１９】
本発明の第１の態様によれば、上記目的は、ハイブリッド自動再送要求（ＨＡＲＱ）応答のタイミングを決定する、ユーザ装置における方法によって達成される。ユーザ装置は、第１の無線アクセス技術システム及び第２の無線アクセス技術システムを含む通信ネットワークで動作する。ユーザ装置は、第１の無線アクセス技術システムの少なくとも１つの下りリンク・キャリアと、第２の無線アクセス技術システムの少なくとも１つの下りリンク・キャリアとで、データ、データ情報またはデータパケットを受信する。本方法は、第２の無線アクセス技術システムに関連する下りリンク・タイミングを決定するステップと、当該下りリンク・タイミングに基づいて、第２の無線アクセス技術システムのＨＡＲＱ応答のための仮想上りリンク・タイミングを決定するステップと、第１の無線アクセス技術システムに関連する上りリンク・タイミングを決定するステップと、第１の無線アクセス技術システムの上りリンク・キャリアでのＨＡＲＱ応答の送信用の上りリンク時間インスタンスを、仮想上りリンク・タイミングと第１の無線アクセス技術システムのための上りリンク・タイミングとに基づいて決定するステップとを含み、ＨＡＲＱ応答は、第２の無線アクセス技術システムの下りリンク・キャリアで受信されたデータに関連する。
【００２０】
一実施形態では、ＨＡＲＱ応答の送信用の上りリンク時間インスタンスを決定するステップは、仮想上りリンク・タイミングを、第１の無線アクセス技術システムのための上りリンク・タイミングにマッピングするステップを含む。
【００２１】
上記実施形態の変形では、ＨＡＲＱ応答の送信用の上りリンク時間インスタンスを決定するステップは、仮想上りリンク・タイミングを、仮想上りリンク・タイミングの後の、第１の無線アクセス技術システムについての次の前記上りリンク時間インスタンスにマッピングするステップを含む。
【００２２】
一実施形態では、連続する２つのデータパケットに関連するＨＡＲＱ応答は、第１の無線アクセス技術システムの上りリンク・キャリアでの送信用の、１つの時間インスタンスにまとめられる。
【００２３】
上記実施形態の変形では、ＨＡＲＱ応答は、両方のデータパケットが正しく復号された場合にのみ送信される。
【００２４】
実施形態の他の変形では、ＨＡＲＱ応答は、直交位相シフトキーイング（ＱＰＳＫ）コンスタレーションを用いて送信され、一方の次元に対応する２つのポイントは、上記データパケットのうちの一方についてのＨＡＲＱ応答であり、他方の次元は、他方のデータパケットについてのＨＡＲＱ応答である。
【００２５】
一実施形態では、本方法は、仮想上りリンク・タイミングと第１の無線アクセス技術システムの上りリンク・タイミングとの関係に、閾値よりも大きなドリフトが生じている場合に、ＨＡＲＱ応答の送信用の上りリンク時間インスタンスを、それより以前のまたは遅らせた時間インスタンスに切り替えるステップを含む。
【００２６】
一実施形態では、本方法は、閾値より少ないタイミング・ドリフトに対して、ＨＡＲＱ応答のためのタイミングの系列を適用するステップを含む。
【００２７】
本発明の第２の態様によれば、上記目的は、第１の無線アクセス技術システム及び第２の無線アクセス技術システムを含む通信ネットワークで動作するユーザ装置によって達成される。ユーザ装置は、第１の無線アクセス技術システムの少なくとも１つの下りリンク・キャリアと第２の無線アクセス技術システムの少なくとも１つの下りリンク・キャリアとで、データ、データ情報またはデータパケットを受信する。ユーザ装置は、第２の無線アクセス技術システムに関連する下りリンク・タイミングを決定し、下りリンク・タイミングに基づいて、第２の無線アクセス技術システムのハイブリッド自動再送要求（ＨＡＲＱ）応答のための仮想上りリンク・タイミングを決定し、第１の無線アクセス技術システムに関連する上りリンク・タイミングを決定し、第１の無線アクセス技術システムの上りリンク・キャリアでのＨＡＲＱ応答の送信用の上りリンク時間インスタンスを、仮想上りリンク・タイミングと第１の無線アクセス技術システムのための上りリンク・タイミングとに基づいて決定し、ＨＡＲＱ応答は、第２の無線アクセス技術システムの下りリンク・キャリアで受信されたデータに関連する。
【００２８】
一実施形態では、ユーザ装置は、仮想上りリンク・タイミングを、第１の無線アクセス技術システムのための上りリンク・タイミングにマッピングすることによって、ＨＡＲＱ応答の送信用の上りリンク時間インスタンスを決定する。
【００２９】
一実施形態では、ユーザ装置は、仮想上りリンク・タイミングを、仮想上りリンク・タイミングの後の、第１の無線アクセス技術システムについての次の上りリンク時間インスタンスにマッピングすることによって、ＨＡＲＱ応答の送信用の上りリンク時間インスタンスを決定する。
【００３０】
一実施形態では、ユーザ装置は、連続する２つのデータパケットに関連するＨＡＲＱ応答を、第１の無線アクセス技術システムの上りリンク・キャリアでの送信用の、１つの時間インスタンスにまとめる。
【００３１】
上記実施形態の変形では、ユーザ装置は、両方のデータパケットが正しく復号された場合にのみＨＡＲＱ応答を送信する。
【００３２】
他の変形では、ユーザ装置は、ＨＡＲＱ応答を、直交位相シフトキーイング（ＱＰＳＫ）コンスタレーションを用いて送信し、一方の次元に対応する２つのポイントは、２つのデータパケットのうちの一方についてのＨＡＲＱ応答であり、他方の次元は、他方のデータパケットについてのＨＡＲＱ応答である。
【００３３】
一実施形態では、ユーザ装置は、仮想上りリンク・タイミングと第１の無線アクセス技術システムの上りリンク・タイミングとの関係に、閾値よりも大きなドリフトが生じている場合に、ＨＡＲＱ応答の送信用の前記上りリンク時間インスタンスを、それより以前のまたは遅らせた時間インスタンスに切り替える。
【００３４】
一実施形態では、ユーザ装置は、閾値より少ないタイミング・ドリフトに対して、ＨＡＲＱ応答のためのタイミングの系列を適用する。
【００３５】
本発明の第３の態様によれば、上記目的は、第１の無線アクセス技術システム及び第２の無線アクセス技術システムを含む通信ネットワークの無線基地局ノードにおける方法によって達成される。無線基地局ノードは、第１の無線アクセス技術システムを使用してユーザ装置と通信するよう構成される。本方法は、第２の無線アクセス技術システムに関連付けられたフィードバック情報を検出するステップと、第２の無線アクセス技術システムの構成要素に対して当該フィードバック情報を伝達するステップとを含む。
【００３６】
本発明の第４の態様によれば、上記目的は、第１の無線アクセス技術システム及び第２の無線アクセス技術システムを含む通信ネットワークの無線基地局ノードによって達成される。無線基地局ノードは、第１の無線アクセス技術システムを使用してユーザ装置と通信するよう構成される。無線基地局ノードは、第２の無線アクセス技術システムに関連付けられたフィードバック情報を検出し、第２の無線アクセス技術システムの構成要素に対して当該フィードバック情報を伝達する。
【００３７】
本発明の他の特徴及び効果については、以下の説明及び添付図面を読むことによって明らかになる。
【図面の簡単な説明】
【００３８】
【図１】第１のシステム及び第２のシステムを用いるアグリゲーションを例示する図。
【図２】ＬＴＥ、特に周波数分割複信における、上りリンクＨＡＲＱタイミングを示す図。
【図３】下りリンクチャネルと、ＨＡＲＱ情報を含む、対応する上りリンクチャネルとについてのタイミング関係を示す図。
【図４】ユーザ装置に実装される方法のフローチャート。
【図５】ＬＴＥが第１の無線アクセス技術である場合のタイミングの態様を示す図。
【図６】ＨＳＰＡが第１の無線アクセス技術である場合のタイミングの態様を示す図。
【図６ａ】２つのシステム間のタイミング態様を示す図。
【図６ｂ】ヒステリシス態様を示す図。
【図６ｃ】他のヒステリシス態様を示す図。
【図６ｄ】タイミング態様を示す図。
【図７】本方法を実行するための能ブロックまたは手段を備えるユーザ装置を示す図。
【図８】本発明の実施形態が実装されうる環境、特に通信システムを概略的に示す図。
【図９】本方法の実施形態を実装するのに適したユーザ装置を概略的に示す図。
【図１０】本方法の実施形態を実装するための手段を備える、例示的なネットワークノードまたは基地局を示す図。
【発明を実施するための形態】
【００３９】
以下の記述では、いかなる限定を目的とすることなく説明を目的として、徹底した理解をもたらすために、特定の構造、インタフェース、技術等の具体的な詳細を説明する。他の例では、不必要に詳細によって説明が不明瞭にならないよう、周知の装置、回路及び方法についての詳細な説明を省略する。同一の参照番号は、記述全体にわたって同一または同様の要素を参照する。
【００４０】
３ＧＰＰは、ＧＳＭ／ＧＰＲＳ、ＷＣＤＭＡ／ＨＳＰＡ及びＬＴＥ標準規格の開発及び維持関与している。本開示では、ユニバーサル陸上無線アクセスネットワーク（ＵＴＲＡＮ：Universal Terrestrial Radio Access Network）とも称されるＷＣＤＭＡ無線アクセスの上に築かれたＨＳＰＡエボリューションと、ＵＴＲＡＮのロング・ターム・エボリューション（Long Term Evolution）または進化型（evolved）ＵＴＲＡＮ（Ｅ−ＵＴＲＡＮ）としても認識されている、ＯＦＤＭ及びＳＣ−ＦＤＭＡベースのＬＴＥとに、主な焦点を合わせる。ＵＴＲＡＮ無線アクセス仕様の詳細については、３ＧＰＰ仕様の２５シリーズに記載されているのに対して、Ｅ−ＵＴＲＡＮ使用については３６シリーズにおいて見つけられる。ＬＴＥは、３ＧＰＰリリース８において導入されたが、ＨＳＰＡ及びＬＴＥの両方の開発及び将来の進化は、リリース９、１０等で並行して継続している。
【００４１】
キャリア・アグリゲーションのセットアップに関しては、これまでに与えられた例が、様々な可能性のある将来のシナリオが適用され、また、本発明の実施形態の適用可能性を限定するものと理解されてはならない。図１には、説明を目的として、ＨＳＰＡが第１のシステム及びＲＡＴ２として動作しており、ＬＴＥが第２のシステム及びＲＡＴ３である、１つの可能性のある解決策が概略されている。このような状況においては、以下で更に説明するように、例えば、モビリティを第１のシステム及びＲＡＴによって制御することが可能である。このため、通信システム１、即ち通信ネットワークは、第１の無線アクセス技術システム２と、第２の無線アクセス技術システム３とを備える。更に、ユーザ装置４は、第１の無線アクセス技術システム２の少なくとも１つの下りリンク・キャリアと、第２の無線アクセス技術システム３の少なくとも１つの下りリンク・キャリアとで受信する。図１には、通信システム１が、第１のＲＡＴ２に関連付けられたコアネットワーク５も備えることが示されている。
【００４２】
なお、本発明は、これらの例示的な技術に限定されることはなく、本発明の実施形態は、以下で更に説明するように、複数の無線アクセス技術の任意の組み合わせに対して同様に適用可能である。例えば、複数のＲＡＴには、ＬＴＥ及びＷＬＡＮ、ＨＳＰＡ及びＷＬＡＮ、または、他の任意の複数の無線アクセス技術が含まれうる。
【００４３】
これまでに説明したように、異なる複数のＲＡＴは、異なるサブフレーム・タイミング及びＨＡＲＱ応答タイミング要求条件を有し、それ故に、ＡＣＫ／ＮＡＫ報告を、ＵＬに直ちに適用することはできず、また、ＵＬで直ちに送信することはできない。即ち、第２の無線アクセス技術と、第２の下りリンク・キャリアでのデータパケットの受信とに関連するＡＣＫ／ＮＡＣＫの送信を、第１の無線アクセス技術の上りリンク・キャリアで開始することは容易ではない。 
【００４４】
例えば、１ｍｓのサブフレームを使用するＬＴＥにおいて、ＵＥ４は、周波数分割複信（ＦＤＤ）では、サブフレームＮで受信されたＤＬデータのＨＡＲＱ応答を、時間インスタンス（time instance）Ｎ＋４のＵＬサブフレームで送信しなければならない（ＬＴＥ、特に周波数分割複信における、上りリンクＨＡＲＱタイミングが示されている、図２を参照）。即ち、ＵＥ４は、サブフレームＮの受信から、データパケットの受信の成功または不成功についてのフィードバックの準備ができる前に、受信を処理するための３つのフル・サブフレームの時間を有する。
【００４５】
しかし、ＨＳＰＡでは、厳密なタイミングは、端末／ＵＥのＤＰＣＣＨのタイミングに基づいているが、図３に示すように、ＨＳ−ＰＤＳＣＨの終了後のおおよそ１９２００チップ（５ｍｓ）である。特に、図３は、（ＤＬチャネルである）ＨＳ−ＳＳＣＨ／ＨＳ−ＰＤＳＣＨと、ＨＡＲＱ情報（ＡＣＫ／ＮＡＣＫ応答）を含む（ＵＬチャネルである）対応するＨＳ−ＤＰＣＣＨとについてのタイミング関係を示している。
【００４６】
異なる複数のＲＡＴにおける、異なる送信時間間隔（ＴＴＩ）、即ちサブフレーム、の長さと、異なるタイミング要求条件とに起因して、第２のＲＡＴで受信されたＤＬデータに関連する、第１のＲＡＴのＵＬで送信されるＨＡＲＱ応答のタイミングを決定するための方法及び装置の必要性がある。
【００４７】
ここでは、ＤＬデータに関連するＨＡＲＱ応答は、ＨＡＲＱ ＡＣＫ／ＮＡＣＫフィードバック、即ち、受信の成功または不成功（即ち、トランスポート・ブロックの復号の成功）に関する論理的情報、を指すものと理解されなければならない。このため、ＵＥ４では、第２のＲＡＴ３でのＤＬ受信に関連する当該情報を、第１のＲＡＴ２の上りリンク（ＵＬ）方向で伝達する必要がある。本発明の実施形態は、この問題に対する解決策、特に、ＡＣＫ／ＮＡＫフィードバックのタイミングのための解決策を提供する。
【００４８】
本発明の実施形態の基本概念は、これまでに説明した問題に対する解決策を提供することである。簡潔には、基本原理は、端末またはユーザ装置（ＵＥ）４が、第２のＲＡＴ３用のＨＡＲＱ応答タイミングを、第２のＲＡＴ３のルール及び仕様に基づいて導出し、それにより、仮想的な第２のＲＡＴ ＨＡＲＱタイミングを決定することである。そして、当該仮想タイミングは、第１のＲＡＴ２の上りリンク（ＵＬ）キャリアのために使用されるタイミングにマッピングされる。異なる複数のマッピング・ルールが想定されうる。一実施形態では、マッピングは、第１のＲＡＴ用の（仮想タイミング・ポイントの後の）次のＵＬサブフレームに対して行われうる。の実施形態では、第１のＲＡＴのＵＬタイミングを決定するために、当該仮想タイミングは、第１のＲＡＴ２の、最も近いＵＬサブフレーム・タイミングに対して丸められる（rounded）。
【００４９】
図４は、本明細書で開示する、ユーザ装置４に実装される方法のフローチャートである。ＵＥ４は、通信ネットワーク１と接続されるモードであり、下りリンク（ＤＬ）で第１のＲＡＴ２及び第２のＲＡＴ３を、ＵＬで第１のＲＡＴを用いる、複数ＲＡＴのキャリア・アグリゲーション環境で動作するよう構成される。
【００５０】
第２のＲＡＴのＨＡＲＱ応答（ＡＣＫ／ＮＡＫフィードバック）のＵＬ送信のために用いられるタイミングを決定するために、以下の手順が使用される。
【００５１】
まずステップ１００で、ＵＥ４は、第２のＲＡＴ３のＤＬタイミングを決定する。これは、技術的に既知の、第２のＲＡＴ用のネットワーク設定（configuration）パラメータだけでなく（同期及びパイロット・シンボル／チャネルからの）ＤＬタイミングの決定によって行われうる。例えば、第２のＲＡＴ３がＨＳＰＡ（即ち、ＵＴＲＡＮ）である場合には、第１及び第２の同期信号と共通パイロットチャネル（ＣＰＩＣＨ）とが、ＤＬタイミングを決定するためのＤＬ個別物理制御チャネル（ＤＰＣＣＨ）タイミング用に受信されるネットワーク情報と組み合わせて使用される。第２のＲＡＴ３についてのＤＬタイミング及び仕様の要求条件に基づいて、ＨＡＲＱ応答のためのＵＬタイミングまたは仮想ＵＬタイミングが決定される（ステップ１１０）。その後、ステップ１２０で、ＵＥ４は、典型的には（既知の原理に従ってＵＥ４において同様に決定される）第１のＲＡＴのＤＬタイミングから導出される、第１のＲＡＴ２用のＵＬタイミングを決定するか、または、ステップ１００及び１１０と並行して決定する。ステップ１１０、１１０及び１２０は、連続して、または同時に（即ち、任意の順序で）、実行されうる。
【００５２】
最終的に、第２のＲＡＴ３のために導出されるＵＬ ＨＡＲＱ応答の仮想タイミングと、第１のＲＡＴ２のＵＬタイミングとに基づいて、ＨＡＲＱ応答の送信のために使用されるＵＬフレームが決定される（１３０）。
【００５３】
２つの無線アクセス技術を実装する２つ（以上の）キャリアのタイミングは、非同期であってもよく、即ち、フレーム、サブフレームまたはスロットのタイミングは、揃っていなくてもよいことに留意されたい。更に、ＲＡＴシステムは、個別のクロック、またはそれらの個別のクロック用のリファレンスを実装しうるため、２つのＲＡＴシステムのフレーム、サブフレームまたはスロット間の位置合わせに、互いに対してドリフトが生じることが起こりうる。したがって、上りリンクのＡＣＫ／ＮＡＣＫフィードバックの、第１のＵＬでの送信用のフレーム、サブフレームまたはスロットが決定論的な方法で決定される、本開示で提供される解決策の必要性がある。即ち、（例えばＵＥに対する）フィードバックをどこで送信するのかと、フィードバック情報をどこから予期するするのかを、（ＵＥの）ＵＬ送信機と（ネットワーク内の基地局のようなネットワークノードの）ＵＬ受信機の両方が、曖昧さを残さずに知ることができるのが重要である。本開示の実施形態は、２つのシステムのスロット、フレームまたはサブフレーム間のタイミングにおける、いかなるドリフトまたはオフセットにもかかわらず、それを提供する。
【００５４】
図５は、ＬＴＥが第１のＲＡＴであり、ＨＳＰＡが第２のＲＡＴである場合の、本発明の実施形態の原理を示す。ＨＡＲＱ用のタイミングは、ＨＳ−物理下りリンク共有チャネル（ＰＤＳＣＨ）のＴＴＩの最後から約１９２００チップ（５ｍｓ）である。ＨＳ−ＰＤＳＣＨは、受信確認または否定的な受信確認がなされるべき、トランスポート・ブロックまたはデータパケットを搬送する。気が付かれうるように、応答時間はＬＴＥよりもＨＳＰＡについての方が長い。本例では、ＡＣＫ／ＮＡＫ応答用の仮想ＨＳ−ＤＰＣＣＨタイミングが決定され、その後、当該タイミングがＬＴＥのＵＬサブフレーム・タイミングにマッピングされる。即ち、ＵＥ４は、あたかも、ＡＣＫ／ＮＡＫフィードバックの送信用に第２のシステムで利用可能なＨＳ−ＤＰＣＣＨ上りリンクチャネルをＵＥが有するかのように、第２のシステム（本例ではＨＳＰＡ）の要求条件に従ってＡＣＫ／ＮＡＫの送信時間を決定する。これは事実と異なるため、ＵＥは、本開示に従って、この仮想送信タイミングを、第１のシステムの上りリンクでのフィードバックの送信のために使用する。
【００５５】
ここで、２つのＲＡＴシステム２、３はオフセットを有していることを理由として、仮想送信タイミングにおいて厳密には第１のＲＡＴ２の利用可能なスロットが存在しない可能性がある。
【００５６】
一実施形態では、次のＵＬ ＬＴＥサブフレームにタイミングが丸められる。この解決策では、図５に示すように、ＵＥ４は、ＡＣＫ／ＮＡＫフィードバックの送信用の仮想送信時間を確認し、このフィードバックの送信を次のタイムスロットで開始する。これは、「Ｎ＋４」サブフレーム（仮想送信時間）の中央に向けられた矢印によって示されており、ＵＥは、サブフレームＮ＋５、即ち、全体を利用可能な次のＵＬ ＬＴＥサブフレームで送信する。
【００５７】
あるいは、タイミングを、最も近いＬＴＥ ＵＬサブフレーム・タイミングに丸める場合を想定することもできる。この場合、サブフレーム「Ｎ＋４」の始点が仮想送信時間のサブフレーム「Ｎ＋５」により近いときには、図５において破線矢印で示されるように、ＡＣＫ／ＮＡＫフィードバックの送信時間は「Ｎ＋４」である。
【００５８】
更に他の実施形態では、仮想送信時間に対応する（即ち、仮想ＨＳ−ＤＰＣＣＨ ＵＬタイミングよりも小さい値に対応する）現在のサブフレームを使用することができる可能性がある。これは、第２のシステム、この場合ではＨＳＰＡに対する処理要求条件を厳しくすることによってできる可能性がある。また、ＵＥは、いずれにしても、より短い時間（４ｍｓ）で（ＨＳＰＡの対応するトランスポート・ブロックよりも長い）ＬＴＥトランスポート・ブロックを復号できるため、ＵＥは、ＨＳＰＡ仕様の要求条件５ｍｓよりも短い時間フレームでＨＳＰＡトランスポート・ブロックを復号する可能性を有しうる。
【００５９】
図６は、ＨＳＰＡが第１のＲＡＴである場合の、本発明の実施形態の原理を示している。図５と関連して説明する同じ実施形態もここでは適用され、図６は、主に、本方法が第１及び第２のＲＡＴ用にどの技術が使用されるのかとは無関係に適用可能であることを示すために導入される。この場合において、第１のＲＡＴ２は、ここでは第２のＲＡＴ３よりも長いタイミング要求条件を有しているため、ＵＥ４は、第２のＲＡＴ３についての要求条件よりも高速にトランスポート・ブロックを復号する可能性を有しないこともある。したがって、典型的な実施形態は、仮想タイミングを、近い将来の（または次の）第１のＲＡＴタイミングの方へ丸めるものである。当然ながら、処理要求条件が満たされうるならば、他の実施形態も適用されてもよい。
【００６０】
図６に関連する更に他の観察を行うことが可能である。ＬＴＥは、送信時間間隔ＴＴＩ、即ち各データパケットの長さである１ミリ秒のサブフレーム構成を利用するが、ＨＳＰＡのフィードバックチャネル（ＨＳ−ＤＰＣＣＨ）は、２つのＬＴＥデータパケットの長さに相当する２ミリ秒の期間を有するため、ＬＴＥから１つのＨＳ−ＤＰＣＣＨタイムスロットに、論理的なＡＣＫ／ＮＡＫフィードバックをまとめる必要がある。例えば、同図では、Ｎ−１及びＮからのフィードバックは、同一のＨＳ−ＤＰＣＣＨで送信されるであろう。この情報を送信するための様々な技術が予期される。１つの解決策は、両方のデータパケットが正しく復号された場合にのみＡＣＫを送信することである。このような解決策によって、データパケットの再送が行われないか、または２つのデータパケットの再送が行われる結果となる。他の解決策では、ＡＣＫ／ＮＡＫの送信のために４ポイント（ＱＰＳＫ）のコンスタレーションが使用され、この場合、一方の次元に対応する２つのポイントが、パケットＮ−１に対するＡＣＫ／ＮＡＫであるとともに、他方の次元がパケットＮを表す。更に他の解決策では、ＨＳ−ＤＰＣＣＨ用に使用される拡散率（spreading factor）が、（使用される元の拡散率と比べて）２で除算され、そのため、前半の時間でパケットＮ−１に対応するＡＣＫ／ＮＡＫが送信され、後半はパケットＮのために使用される。
【００６１】
本発明の発明者によって、２つのＲＡＴシステム２、３間でフレームまたはサブフレーム、スロット、タイミングにドリフトが生じる場合、第１のＲＡＴシステム２でのＡＣＫ／ＮＡＫフィードバックのタイミングに関連する他の問題も特定されている。このため、上記で提供される実施形態で、本明細書で説明する実施形態に従って導出される仮想時間インスタンスが偶然、２つのスロットの境界に厳密に一致すると、望ましくない「トグリング（toggling）」がフィードバック・タイミングに生じるとともに、第１のＲＡＴシステム２のサブフレームの決定が、ＡＣＫ／ＮＡＣＫフィードバックを送信するサブフレームの「トグリング」を生じさせる結果となる可能性がある。
【００６２】
これは図６ａに示されており、同図では、仮想送信時間に続く（即ち、仮想送信時間の後の次の）サブフレームを使用する実施形態が用いられる解決策が示されている。同図のように、ＨＳＰＡからの仮想タイミング・インスタンスは、約２ミリ秒ごとに生じている。図示したケースでは、上記決定によって、ＬＴＥサブフレームＮ＋１及びＮ＋３にＡＣＫ／ＮＡＫフィードバックが生じる。しかし、ここでは２つのシステムのクロックにわずかなドリフトが存在するため、または、ＵＥ（図では強調されている）ＵＥのクロックの不正確さに起因して、図示されている３番目の仮想送信タイミングによって、ＬＴＥサブフレームＮ＋４にＡＣＫ／ＮＡＫフィードバックを生じさせることが、ここでは起こっている。このため、４番目の仮想時間に前方へのドリフトが再び存在し、その結果、ＬＴＥサブフレームＮ＋７にＨＳＰＡ ＡＣＫ／ＮＡＫフィードバックが生じている。このような不規則な系列（即ち、Ｎ＋１、Ｎ＋３、Ｎ＋４、Ｎ＋７、Ｎ＋９、...）は、ＡＣＫ／ＮＡＫフィードバックの受信機における、ＡＣＫ／ＮＡＫフィードバックをどこで予期すべきかを推定するための処理を複雑にするため、明らかに望ましくない。
【００６３】
このトグリングの問題を解決するために、及び、更に他の実施形態によれば、ＡＣＫ／ＮＡＫタイミングの上述のトグリングを回避できるか、または少なくとも軽減するのに用いられる、少なくとも１つのヒステリシス値を導入する。この解決策は、図６ｂに示されている。具体的には、図６ｂは、システム・タイミング間のタイミング・ドリフトに対処するためのヒステリシス値の導入を示している。ここでは、２つのヒステリシス値または閾値を設定する解決策が示されている。
【００６４】
ＵＥ４はまず、本明細書で説明されている実施形態のいずれかに従って、ＡＣＫ／ＮＡＫフィードバックの送信用のサブフレームを決定する。図６ａで観察されるように、これにより、ＡＣＫ／ＮＡＫフィードバック用の、制御されたタイミング系列（例えば、Ｎ−１、Ｎ＋１、Ｎ＋３等）がもたらされる。ここで、ＵＥ４は、以下で更に説明するように、タイミングに、ヒステリシス値Hyst_earlyまたはHyst_laterより大きいドリフトが生じる場合を除いて、この規則的なパターンを適用するものとする。例えば、当該決定の結果が、ＵＥ４が、図６ａに部分的に示されているように、前のサブフレーム（即ち、例えばＮ−１、Ｎ＋１、Ｎ＋３、Ｎ＋４、Ｎ＋６、Ｎ＋８、...）へ「切り替え」てはならないことを示す場合には、ＵＥ４は、タイミングのドリフトが閾値、即ちヒステリシス値Hyst_earlyを超える場合にのみ、そのように行う。同様に、ドリフトがヒステリシス値Hyst_laterを超える場合には、ＵＥ４は、遅延したパターン（例えば、ここでは示されていないが、Ｎ−１、Ｎ＋１、Ｎ＋３、Ｎ＋６、Ｎ＋８、...）への切り替えのみを行うものとする。２つのヒステリシス値は、同一の値を有していてもよく、即ち、単一のヒステリシスを用いてヒステリシス値が実装されてもよい。ヒステリシスは、ハード・コーディングされていてもよいし、または場合によっては、上位層（例えば、第１のＲＡＴシステム２の無線リソース制御（ＲＲＣ）プロトコル）によって設定されてもよい。
【００６５】
この解決策により、小規模なドリフトまたは不確実性が生じた場合にも、ＡＣＫ／ＮＡＫフィードバックの送信用の、明確に定義されたパターンを実現することが可能である。図６ｃには、図６ａの問題の例に対する結果が示されており、規則的なＡＣＫ／ＮＡＫフィードバック・タイミングが、ある程度のクロック・ドリフトがあるにもかかわらず確保されている。同図からわかるように、３番目の仮想タイミングに関連するタイミングのドリフトは、ＡＣＫ／ＮＡＫフィードバックに不規則性を全く生じさせない。これは、ドリフトが、閾値を明らかに超えなかったためである。一方で、ドリフトが、説明した閾値を実際に超える場合には、ＵＥ４が、処理要求条件及び関連するタイミングに適合することができるように、タイミングを調整する必要性が実際には存在する。これについての例は、Ｎ−１、Ｎ＋１、Ｎ＋３、Ｎ＋６、Ｎ＋８、Ｎ＋１０、...でありうる（即ち、ＵＥ４が、ドリフトがHyst_laterを超えると判定した）とともに、フィードバック・スロットの調整が行われる。
【００６６】
以下では、例えばクロック・ドリフトに起因したタイミング・調整の必要性を除去または低減するための他の解決策を提供する。ＨＳＰＡが２ミリ秒の送信時間間隔ＴＴＩを有しているのに対して、ＬＴＥは１ミリ秒のＴＴＩ（即ち、サブフレーム構成）を有していることが観察される。更に他の実施形態によれば、通信ネットワーク１は、現在、１つおきのＬＴＥサブフレーム（ＴＴＩ）のみ、ＨＳＰＡ下りリンク送信からのＡＣＫ／ＮＡＫフィードバックに利用可能であるように設定しうる。１つおきのＬＴＥ ＴＴＩのみがＨＳＰＡ用のＨＡＲＱフィードバック情報に利用可能であるという事実に従うと、当該事実は、ＵＥ４によるフィードバック・タイミングを調整する必要性を低減する。これは図６ｄに示されている。具体的には、図６ｄは、ＬＴＥ上りリンクでのＨＳＰＡ ＨＡＲＱフィードバックの搬送用に、１つおきのＴＴＩのみが設定されていることを示す。ＴＴＩ Ｎ−１、Ｎ＋１、Ｎ＋３、...（同図ではハッチングされている）が、ＨＳＰＡ ＨＡＲＱフィードバック用に設定及び有効化されている。
【００６７】
この解決策は、上述したヒステリシスの実施形態と独立してまたは一緒に使用されてもよく、また、第１のシステムのＨＡＲＱフィードバック・タイミングを仮想時間インスタンスから決定する方法を特徴付けている実施形態のいずれかと一緒に使用されてもよい。
【００６８】
更に、ＨＡＲＱ ＡＣＫ／ＮＡＫ（またはＣＱＩ報告）のようなフィードバック応答を送信するために、（第１のキャリア周波数を使用する）第１のＲＡＴの第１のサービング・セルと、（第２のキャリア周波数を使用する）第２のＲＡＴの第２のサービング・セルとの間のタイミング・ドリフトに対処するための実施形態は、異なる複数の送信ノードに由来する、または大きく異なる複数のキャリア周波数の複数のコンポーネント・キャリアを用いる場合、マルチキャリアＬＴＥまたはデュアルセルＨＳＰＡに対しても適用可能である。第１及び第２のＲＡＴが同一のＲＡＴである場合、仮想タイミングは上述のように決定され、更に、上述のようなヒステリシスが適用される。
【００６９】
図７は、本開示に従って動作するＵＥ４のブロック図を示しており、図示されているＵＥは、本方法を実行するための機能ブロックまたは手段を備える。ＵＥ４は、ベースバンド信号への無線信号の変換（及び、逆も同様）に関与する送受信部（ＴＲＸ）４７と、アナログ（デジタル）信号をデジタル（アナログ）信号に変換するのに関与するＡ／Ｄ及びＤ／Ａ部４５とを備える。ＵＥ４は、それぞれサポートされているＲＡＴ４１、４２に対応する復調器及び復号器を更に備え、ＵＥ４は、それらの復調器及び復号器を同時に動作させることが可能である。ＵＥ４は、それぞれのＲＡＴのためのＤＬタイミングを決定することが可能なタイミング決定部４０、４３と、説明した実施形態に従って、第１のＲＡＴ２のＵＬサブフレームを補正するために、第２のＲＡＴ３に対応するＨＡＲＱフィードバック応答のマッピングに関与する制御部４０８とを更に備える。また、少なくとも第１のＲＡＴ２に対応する符号器及び変調器４４を含むブロックが、ＵＥ４には含まれている。
【００７０】
本発明の実施形態は、第１の無線アクセス技術の１つのＤＬキャリアと、第２の無線アクセス技術の他のＤＬキャリアとが存在することを前提として説明されているが、両方の技術を使用するそのような複数のキャリアが存在してもよいことを理解されたい。説明を各システム／ＲＡＴについての説明に制約せいているのは、単に、本発明の主な実施形態の説明において明確さと簡潔さを維持するためである。例えば、ＤＬ ＨＳＰＡで５ＭＨｚの２倍、ＤＬ ＬＴＥで１０ＭＨｚの２倍が存在してもよい。この場合、それ故に４キャリアで同時に受信するＵＥを有するであろう。同様に、例えば、ＬＴＥのＵＬにおいて１０ＭＨｚの２倍が存在するように、第１のシステムに関連する複数のＵＬキャリアが存在してもよい。また、ＵＬは、ＴＤＤを用いて実装されてもよく、即ち、ＵＬ用に利用可能なキャリアが、ＤＬ用に利用可能なキャリアと同一であってもよい。ＵＥに使用可能な多数のＵＬキャリアが存在する場合、本開示に従った妥当な解決策は、第１のシステムの複数のＵＬキャリアのうちの１つが、第２のシステムに関連するＨＡＲＱフィードバック情報を搬送するために使用されることである。あるいは、第１のシステムの複数のＵＬキャリアが、第２のシステムのＨＡＲＱ情報を搬送するために使用されてもよく、それにより、本明細書で説明する方法（第１のシステムの１つまたは複数の上りリンクに対する、第２のシステムに関連するＨＡＲＱ情報の送信及びタイミングに関する方法）がやはり実行される。
【００７１】
なお、フレーム、サブフレーム、スロットまたはＴＴＩ（送信時間間隔）という用語は、それぞれの技術を説明する際に共通して使用される内容及び文言に依存して、互いに置き換え可能であってもよい。本質的には、これらの用語は、送信機と受信機との間で何らかの情報が送信されうる時間における、時間インスタンス（time-instance）または期間を記述する。それは、当業者によって共通して理解されるように、時間を、明確に定義された個別の複数の期間に分割する一手段である。使用される言い回しは、本発明の適用可能性を限定するものとみなされてはならない。
【００７２】
本実施形態の利得及び効果には、第２のシステムのＨＡＲＱフィードバックを送信及び受信するための時間インスタンスを決定できることが含まれる。更に、ＵＥは、一部の実施形態に従って、複数の無線アクセス技術のそれぞれの、既存の処理要求条件を実装可能である。本解決策は、逆方向（フィードバック）リンク、ＵＬまたはフィードバックチャネルにおいて１つの無線アクセス技術のみをなお実装しつつ、複数の無線アクセス技術にわたってＨＡＲＱを容易にする。
【００７３】
実装例
ここで、ネットワークの実施形態についても簡単に説明する。明らかに、上述のＵＥの実施形態に係るＨＡＲＱ情報を受信するための、無線基地局またはノードＢ／ｅノードＢのようなネットワークノードの受信機を実装する必要性がある。具体的には、第１のシステムに関連付けられたキャリア、または第１のシステムを実現するキャリア上の、上りリンクＨＡＲＱフィードバック情報の受信機の必要性があり、当該受信機は、上述のタイミングに係る、第２のシステムに関連付けられたフィードバック情報を検出及び復号する。このため、無線基地局は、このフィードバック情報を、第２の下りリンクシステムの送信機に伝達し、当該システムは、同一の無線基地局内に共同配置されうる。その後、このフィードバック情報に基づいて、送信機は、再送が必要か否かを明らかにする。無線基地局は、複数の実施形態のいずれかにおいて、ＨＡＲＱ情報を受信するための時間インスタンスを決定してもよく、即ち、それは、例えば、仮想タイミング・インスタンスの後の、時間で最も近いサブフレーム、または前のサブフレーム（またはＴＴＩ）であってもよい。また、無線基地局は、複数のサブフレームまたは複数のＴＴＩのサブセットのみが、上述のＨＡＲＱ情報を受信するのに利用可能となるように、１つまたは複数のＵＥを設定してもよい。また、無線基地局は、フィードバック情報の受信のために時間インスタンスを決定するために、ヒステリシス値を設定及び実装してもよい。
【００７４】
説明した解決策は、任意の適切な通信標準規格をサポートし、かつ、任意の適切な構成要素を使用する、任意の適切なタイプの通信システムにおいて実装されうるものの、当該説明した解決策の特定の実施形態は、図８に示されているネットワークのようなネットワーク（例えば、ＨＳＰＡまたはＬＴＥ）において実現されてもよい。
【００７５】
図８に示されるように、無線通信ネットワークの例には、複数のＵＥ４及び１つ以上のネットワークノードについての、これらのＵＥ４と通信可能な基地局６のような、１つ以上の例が、複数のＵＥ４間の、またはＵＥ４と（有線電話のような）他の通信装置との間の通信をサポートするのに適した、任意の追加のエレメントとともに含まれてもよい。図示されている複数のＵＥ４は、ハードウェア及びソフトウェアの少なくともいずれかについての任意の適切な組み合わせを含む通信装置を表しうるものの、これらのＵＥ４は、特定の実施形態では、図９または図７によってより詳細に図示されているＵＥ４の例のような装置を表していてもよい。同様に、図示されている基地局６は、ハードウェア及びソフトウェアの少なくともいずれかについての任意の適切な組み合わせを含むネットワークノードを表しうるが、これらの基地局は、特定の実施形態では、図１０によってより詳細に図示されている基地局の例のような装置を表していてもよく、図１０は、本方法の実施形態を実現するための手段を備える、例示の基地局を示している。
【００７６】
図９に示されるように、ＵＥ４の例は、プロセッサ４０８、メモリ４１１、送受信機４０９、及びアンテナ４１２を備える。特定の実施形態では、移動通信装置または他の形式のＵＥによって提供される上述の機能の一部または全ては、ＵＥのプロセッサ４０８が、図９に示されるメモリ４１１のような、コンピュータで読み取り可能な記録媒体に格納された命令を実行することによって提供されてもよい。ＵＥ４の代替的な実施形態は、上述の機能と、上述の解決策をサポートするのに必要な任意の機能との少なくとも１つを含む、ＵＥの機能の特定の態様を提供するのに関与しうる、図９に示される構成要素以外の追加の構成要素を備えていてもよい。
【００７７】
図１０に示されるように、基地局６のようなネットワークノードの例は、アンテナ６０５と、プロセッサまたはプロセッサ回路６０１、メモリ６０３、及び送受信機６０２を同様に備える無線基地局ノード６００と、を備える。特定の実施形態では、移動基地局、基地局制御装置、ノードＢ、進化型ノードＢ及び他の任意のタイプの移動通信ノードの少なくとも１つによって提供される、上述の機能の一部または全ては、基地局６０１が、図１０に示されるメモリ６０３のような、コンピュータで読み取り可能な記録媒体に格納された命令を実行することによって提供されてもよい。
【００７８】
第１のアクセス技術システム２と、第２の無線アクセス技術システム３とを含む通信ネットワーク１の無線基地局ノード６００において、方法が実現されてもよい。無線基地局ノード６００は、第１の無線アクセス技術システム２を使用してユーザ装置４と通信するよう構成される。本方法は、第２の無線アクセス技術システム３に関連付けられたフィードバック情報を検出するステップと、当該フィードバック情報を、第２の無線アクセス技術システム３の構成要素に伝達するステップとを含む。そのような構成要素の一例は、第２の無線アクセス技術システムを使用してユーザ装置４と通信するよう構成された、対応する無線基地局ノード（図示せず）である。
【００７９】
このため、本発明は、通信ネットワーク１の無線基地局ノード６００のようなネットワークノードも包含し、通信ネットワーク１は、第１の無線アクセス技術システム２と、第２の無線アクセス技術システム３とを備える。無線基地局ノード６００は、第１の無線アクセス技術システムを使用してユーザ装置４と通信するよう構成される。無線基地局ノード６００は、第２の無線アクセス技術システム３に関連付けられたフィードバック情報を検出し、第２の無線アクセス技術システム３の構成要素、例えば、第２の無線アクセス技術システムを使用してユーザ装置４と通信するよう構成された、対応する無線基地局ノード（図示せず）に、当該フィードバック情報を伝達するよう構成される。
【００８０】
基地局６の代替的な実施形態は、上記で特定された機能と、上述の解決策をサポートするのに必要な任意の機能との少なくとも１つを含む、追加の機能を提供するのに関与する追加の構成要素を備えていてもよい。
【図１】
2014512743.tif 000003
【図２】
2014512743.tif 000004
【図３】
2014512743.tif 000005
【図４】
2014512743.tif 000006
【図５】
2014512743.tif 000007
【図６】
2014512743.tif 000008
【図６ａ】
2014512743.tif 000009
【図６ｂ】
2014512743.tif 000010
【図６ｃ】
2014512743.tif 000011
【図６ｄ】
2014512743.tif 000012
【図７】
2014512743.tif 000013
【図８】
2014512743.tif 000014
【図９】
2014512743.tif 000015
【図１０】
2014512743.tif 000016
【手続補正書】
【提出日】平成25年5月22日(2013.5.22)
【手続補正１】
【補正対象書類名】特許請求の範囲
【補正対象項目名】全文
【補正方法】変更
【補正の内容】
【特許請求の範囲】
【請求項１】
ハイブリッド自動再送要求（ＨＡＲＱ）応答のタイミングを決定する、ユーザ装置（4）における方法であって、
前記ユーザ装置（4）は、第１の無線アクセス技術システム（2）及び第２の無線アクセス技術システム（3）を含む通信ネットワーク（1）で動作し、前記第１の無線アクセス技術システム（2）の少なくとも１つの下りリンク・キャリアと前記第２の無線アクセス技術システム（3）の少なくとも１つの下りリンク・キャリアとでデータを受信し、前記ユーザ装置（4）は、前記第１の無線アクセス技術システム（2）の上りリンク・キャリアでデータを送信し、
前記方法は、
前記第２の無線アクセス技術システム（3）に関連する下りリンク・タイミングを決定するステップ（100）と、
前記下りリンク・タイミングに基づいて、前記第２の無線アクセス技術システム（3）のＨＡＲＱ応答のための仮想上りリンク・タイミングを決定するステップ（110）と、
前記第１の無線アクセス技術システム（2）に関連する上りリンク・タイミングを決定するステップ（120）と、
前記第１の無線アクセス技術システム（2）の前記上りリンク・キャリアでの前記ＨＡＲＱ応答の送信用の上りリンク時間インスタンスを、前記仮想上りリンク・タイミングと前記第１の無線アクセス技術システム（2）のための前記上りリンク・タイミングとに基づいて決定するステップ（130）であって、前記ＨＡＲＱ応答は、前記第２の無線アクセス技術システム（3）の前記下りリンク・キャリアで受信されたデータに関連する、前記ステップと
を含むことを特徴とする方法。
【請求項２】
前記ＨＡＲＱ応答の送信用の上りリンク時間インスタンスを決定する前記ステップは、
前記仮想上りリンク・タイミングを、前記第１の無線アクセス技術システム（2）のための前記上りリンク・タイミングにマッピングするステップを含むことを特徴とする請求項１に記載の方法。
【請求項３】
前記ＨＡＲＱ応答の送信用の上りリンク時間インスタンスを決定する前記ステップは、
前記仮想上りリンク・タイミングを、前記仮想上りリンク・タイミングの後の、前記第１の無線アクセス技術システム（2）についての次の前記上りリンク時間インスタンスにマッピングするステップを含むことを特徴とする請求項２に記載の方法。
【請求項４】
連続する２つのデータパケットに関連するＨＡＲＱ応答は、前記第１の無線アクセス技術システムの前記上りリンク・キャリアでの送信用の、１つの時間インスタンスにまとめられることを特徴とする請求項１から３のいずれか１項に記載の方法。
【請求項５】
前記ＨＡＲＱ応答は、両方のデータパケットが正しく復号された場合にのみ送信されることを特徴とする請求項４に記載の方法。
【請求項６】
前記ＨＡＲＱ応答は、直交位相シフトキーイング（ＱＰＳＫ）コンスタレーションを用いて送信され、一方の次元に対応する２つのポイントは、前記２つのデータパケットのうちの一方についての前記ＨＡＲＱ応答であり、他方の次元は、他方のデータパケットについての前記ＨＡＲＱ応答である
ことを特徴とする請求項４に記載の方法。
【請求項７】
前記仮想上りリンク・タイミングと前記第１の無線アクセス技術システムの前記上りリンク・タイミングとの関係に、閾値よりも大きなドリフトが生じている場合に、前記ＨＡＲＱ応答の送信用の前記上りリンク時間インスタンスを、それより以前のまたは遅らせた時間インスタンスに切り替えるステップ
を更に含むことを特徴とする請求項１から６のいずれか１項に記載の方法。
【請求項８】
閾値より少ないタイミング・ドリフトに対して、ＨＡＲＱ応答のためのタイミングの系列を適用するステップを更に含むことを特徴とする請求項１から７のいずれか１項に記載の方法。
【請求項９】
第１の無線アクセス技術システム（2）及び第２の無線アクセス技術システム（3）を含む通信ネットワーク（1）で動作するユーザ装置（4）であって、
前記ユーザ装置（4）は、前記第１の無線アクセス技術システム（2）の少なくとも１つの下りリンク・キャリアと前記第２の無線アクセス技術システム（3）の少なくとも１つの下りリンク・キャリアとでデータを受信し、前記ユーザ装置（4）は、前記第１の無線アクセス技術システム（2）の上りリンク・キャリアでデータを送信し、
前記ユーザ装置（4）は、
前記第２の無線アクセス技術システム（3）に関連する下りリンク・タイミングを決定し、
前記下りリンク・タイミングに基づいて、前記第２の無線アクセス技術システム（3）のハイブリッド自動再送要求（ＨＡＲＱ）応答のための仮想上りリンク・タイミングを決定し、
前記第１の無線アクセス技術システム（2）に関連する上りリンク・タイミングを決定し、
前記第１の無線アクセス技術システム（2）の前記上りリンク・キャリアでの前記ＨＡＲＱ応答の送信用の上りリンク時間インスタンスを、前記仮想上りリンク・タイミングと前記第１の無線アクセス技術システム（2）のための前記上りリンク・タイミングとに基づいて決定し、前記ＨＡＲＱ応答は、前記第２の無線アクセス技術システム（3）の前記下りリンク・キャリアで受信されたデータに関連する
ことを特徴とするユーザ装置。
【請求項１０】
前記ユーザ装置（4）は、前記仮想上りリンク・タイミングを、前記第１の無線アクセス技術システム（2）のための前記上りリンク・タイミングにマッピングすることによって、前記ＨＡＲＱ応答の送信用の上りリンク時間インスタンスを決定する
ことを特徴とする請求項９に記載のユーザ装置。
【請求項１１】
前記ユーザ装置（4）は、前記仮想上りリンク・タイミングを、前記仮想上りリンク・タイミングの後の、前記第１の無線アクセス技術システム（2）についての次の前記上りリンク時間インスタンスにマッピングすることによって、前記ＨＡＲＱ応答の送信用の上りリンク時間インスタンスを決定する
ことを特徴とする請求項１０に記載のユーザ装置。
【請求項１２】
前記ユーザ装置（4）は、連続する２つのデータパケットに関連するＨＡＲＱ応答を、前記第１の無線アクセス技術システムの前記上りリンク・キャリアでの送信用の、１つの時間インスタンスにまとめる
ことを特徴とする請求項９から１１のいずれか１項に記載のユーザ装置。
【請求項１３】
前記ユーザ装置（4）は、両方のデータパケットが正しく復号された場合にのみ前記ＨＡＲＱ応答を送信することを特徴とする請求項１２に記載のユーザ装置。
【請求項１４】
前記ユーザ装置（4）は、前記ＨＡＲＱ応答を、直交位相シフトキーイング（ＱＰＳＫ）コンスタレーションを用いて送信し、一方の次元に対応する２つのポイントは、前記２つのデータパケットのうちの一方についての前記ＨＡＲＱ応答であり、他方の次元は、他方のデータパケットについての前記ＨＡＲＱ応答である
ことを特徴とする請求項１２に記載のユーザ装置。
【請求項１５】
前記ユーザ装置（4）は、前記仮想上りリンク・タイミングと前記第１の無線アクセス技術システムの前記上りリンク・タイミングとの関係に、閾値よりも大きなドリフトが生じている場合に、前記ＨＡＲＱ応答の送信用の前記上りリンク時間インスタンスを、それより以前のまたは遅らせた時間インスタンスに切り替える
ことを特徴とする請求項９から１４のいずれか１項に記載のユーザ装置。
【請求項１６】
前記ユーザ装置（4）は、閾値より少ないタイミング・ドリフトに対して、ＨＡＲＱ応答のためのタイミングの系列を適用することを特徴とする請求項９から１５のいずれか１項に記載のユーザ装置。
【請求項１７】
第１の無線アクセス技術システム（2）及び第２の無線アクセス技術システム（3）を含む通信ネットワーク（1）の、前記第１の無線アクセス技術システム（2）の１つの下りリンク・キャリア及び１つの上りリンク・キャリアを使用してユーザ装置（4）と通信するよう構成された無線基地局ノード（600）における方法であって、
前記方法は、
前記第１の無線アクセス技術システムの前記上りリンク・キャリアを使用してユーザ装置と通信している間に、前記第２の無線アクセス技術システム（3）の下りリンク・キャリアでのデータ送信に関連付けられたフィードバック情報を検出するステップと、
前記第２の無線アクセス技術システム（3）に関連付けられた前記フィードバック情報を検出するステップであって、
前記第２の無線アクセス技術システム（3）に関連する下りリンク・タイミングを決定するステップと、
前記下りリンク・タイミングに基づいて、前記第２の無線アクセス技術システム（3）のＨＡＲＱ応答のための仮想上りリンク・タイミングを決定するステップと、
前記第１の無線アクセス技術システム（2）に関連する上りリンク・タイミングを決定するステップと、
前記第１の無線アクセス技術システム（2）の前記上りリンク・キャリアでの前記ＨＡＲＱ応答の受信用の上りリンク時間インスタンスを、前記仮想上りリンク・タイミングと前記第１の無線アクセス技術システム（2）のための前記上りリンク・タイミングとに基づいて決定するステップと
によって、前記フィードバック情報を検出するステップと、
前記第２の無線アクセス技術システム（3）の構成要素に対して前記フィードバック情報を伝達するステップであって、前記第２の無線アクセス技術システム（3）の前記構成要素は、前記ユーザ装置（4）と、前記第２の無線アクセス技術システム（3）の前記下りリンク・キャリアで通信している、前記ステップと
を含むことを特徴とする方法。
【請求項１８】
第１の無線アクセス技術システム（2）及び第２の無線アクセス技術システム（3）を含む通信ネットワーク（1）の、前記第１の無線アクセス技術システム（2）の１つの下りリンク・キャリア及び１つの上りリンク・キャリアを使用してユーザ装置（4）と通信するよう構成された無線基地局ノード（600）であって、
前記第１の無線アクセス技術システムの前記上りリンク・キャリアを使用してユーザ装置と通信している間に、前記第２の無線アクセス技術システム（3）の下りリンク・キャリアでのデータ送信に関連付けられたフィードバック情報を検出し、
前記第２の無線アクセス技術システム（3）に関連付けられた前記フィードバック情報を、
前記第２の無線アクセス技術システム（3）に関連する下りリンク・タイミングを決定し、
前記下りリンク・タイミングに基づいて、前記第２の無線アクセス技術システム（3）のＨＡＲＱ応答のための仮想上りリンク・タイミングを決定し、
前記第１の無線アクセス技術システム（2）に関連する上りリンク・タイミングを決定する決定し、
前記第１の無線アクセス技術システム（2）の前記上りリンク・キャリアでの前記ＨＡＲＱ応答の受信用の上りリンク時間インスタンスを、前記仮想上りリンク・タイミングと前記第１の無線アクセス技術システム（2）のための前記上りリンク・タイミングとに基づいて決定する
ことによって検出し、
前記第２の無線アクセス技術システム（3）の構成要素に対して前記フィードバック情報を伝達し、前記第２の無線アクセス技術システム（3）の前記構成要素は、前記ユーザ装置（4）と、前記第２の無線アクセス技術システム（3）の前記下りリンク・キャリアで通信している
ことを特徴とする無線基地局ノード。
【国際調査報告】
2014512743.tif 000017
2014512743.tif 000018